(57)【要約】【課題】本考案は、冷却ファンを提供する。【解決手段】冷却ファンは：ベース壁２０とベース壁２０から立ち上がって延在する周囲壁２３とを有するケ―シング２であり、周囲壁２３は、内壁面２３１と上部開口部２４とを有する、ところのケーシング２；周囲壁２３の内壁面２３１にマウントされる固定子４；ベース壁２０から突出する軸２１；ファンブレードユニット３であり、軸２１へ回転可能に軸支されている環状ハブ３１、該ハブ３１を包囲する支持リング３０、及びハブ３１と支持リング３０との間に延在し且つハブ３１及び支持リング３０へ接続される複数のブレード３２を含む、ところのファンブレードユニット３；支持リング３０にマウントされる回転子３３；及び回路板の形をとる蓋部５であり、ケーシング２における上部開口部２４を覆うため周囲壁２３の上端面２４０上にマウントされ、且つ中央開口部５１とともに形成される基板５２を含む、ところの蓋部５、を有する。【選択図】図３
0003126657.tif 000002
【実用新案登録請求の範囲】
【請求項１】
冷却ファンであって：
収容空間２９を画定し、且つベース壁２０と該ベース壁２０から立ち上がって延在する周囲壁２３とを有するケーシング２であり、前記周囲壁２３は、内壁面２３１と、前記収容空間２９からの流体流出の通過のための側部開口部２２と、上端面２４０によって画定される上部開口部２４と、を有する、ところのケーシング２；
前記周囲壁２３の前記内壁面２３１にマウントされる固定子４；
前記ベース壁２０から前記収容空間２９に突出し、且つ回転軸線（Ｌ）を画定する軸２１；
前記収容空間２９に配置されるファンブレードユニット３であり、且つ前記軸２１へ回転可能に軸支されている環状ハブ３１、該ハブ３１を包囲する支持リング３０、及び前記ハブ３１と前記支持リング３０との間に延在し且つ前記ハブ３１及び前記支持リング３０へ接続される複数のブレード３２を含むファンブレードユニット３；
前記支持リング３０にマウントされ且つ前記固定子４へ磁気的に結合される回転子３３；及び
前記ベース壁２０に対向して配置される回路板の形をとる蓋部５であり、前記ケーシング２における前記上部開口部２４を覆うため前記周囲壁２３の前記上端面２４０にマウントされ、且つ基板５２及び該基板５２に配置され且つ前記固定子４へ結合される制御回路６１を含み、前記基板５２は、前記ファンブレードユニット３が前記回転軸線（L）周りを回転するよう駆動されるとき、収容空間２９への流体流入の通過のための中央開口部５１を形成している、ところの蓋部５、
を有する、
ところの冷却ファン。
【請求項２】
前記周囲壁２３は角部２３５を画定し、コイルユニットを含む前記固定子４は前記角部２３５にマウントされる、
請求項１記載の冷却ファン。
【請求項３】
前記周囲壁は前記軸周りに４つの角部を画定し、前記固定子は前記角部に夫々マウントされる４つのコイルユニットを有する、
請求項１記載の冷却ファン。
【考案の詳細な説明】
【技術分野】
【０００１】
本出願は、２００５年１１月２３日出願の台湾出願番号第０９４２２０３１８号の優先権を主張する。
【０００２】
本考案は、冷却ファンに係り、特に、回路板の形のケーシング及び蓋を有する冷却ファンに係る。
【背景技術】
【０００３】
図１及び図２に示されるように、従来の冷却ファン１は、ケーシング１１と、ファンブレードユニット１２と、４つのコイルマウンティングポスト１３１及びコイルマウンティングポスト１３１にマウントされたコイル１３２を備える固定子１３と、基板１４１及び基板１４１上に配置された制御回路を有する回路板１４と、蓋部１５と、を含む。
【０００４】
ケーシング１１は、ベース壁１１０と、ベース壁１１０の周辺縁部から上方に延在する収容空間とを画定し、且つ流体通過のための出口１１２及び上部開口部を画定する周囲壁１１４と、ベース壁１１０の中央から上方に延在する軸１１１と、ベース壁１００から上方に延在し且つ周囲壁１１４と隣接して配置され且つ出口１１２と対向する一対の回路板マウンティングポスト１１３と、を含む。
【０００５】
ファンブレードユニット１２は、ケーシング１１の軸１１１へ回転可能に軸支された環状ハブ１２１と、環状ハブ１２１から外方向に延在する複数のファンブレード１２２と、ファンブレード１２２の端部へ接続されたリング状の回転子１２３と、を含む。
【０００６】
蓋部１５は、周囲壁１１４の上部開口部を覆い、且つケーシング１１における収容空間への流体流入の通過のための中央開口部１５１を形成する。
【０００７】
回路板１４は、従来の方法で固定子１３に供給された信号を制御するための検出コンポーネント１４２を設ける。
【０００８】
動作中、空気流が、中央開口部１５１を通ってケーシング１１の収容空間内に導入され、ファンブレードユニット１２の回転時に出口１１２を通って排気される。
【考案の開示】
【考案が解決しようとする課題】
【０００９】
本考案は、前述した従来の冷却ファンと比べて寸法が小さく且つ製造が安価な冷却ファンを提供することを目的とする。
【課題を解決するための手段】
【００１０】
したがって、本考案の冷却ファンは：
収容空間を画定し、且つベース壁と該ベース壁から立ち上がって延在する周囲壁とを有するケーシングであり、周囲壁は、内壁面と、収容空間からの流体流出の通過のための側部開口部と、上端面によって画定される上部開口部と、を有する、ケーシング；
周囲壁の内壁面にマウントされる固定子；
ベース壁から収容空間に突出し、且つ回転軸線を画定する軸；
収容空間に配置されるファンブレードユニットであり、且つ軸へ回転可能に軸支されている環状ハブ、該ハブを包囲する支持リング、及びハブと支持リングとの間に延在し且つハブ及び支持リングへ接続される複数のブレードを含む、ところのファンブレードユニット；
支持リングにマウントされ且つ固定子へ磁気的に結合される回転子；及び
ベース壁に対向して配置される回路板の形をとる蓋部であり、ケーシングにおける上部開口部を覆うため周囲壁の上端面にマウントされ、且つ基板及び該基板に配置され且つ固定子へ結合される制御回路を含み、基板は、ファンブレードユニットが回転軸線周りを回転するよう駆動されるとき、収容空間への流体流入の通過のための中央開口部を形成している、ところの蓋部、
を有する。
【考案を実施するための最良の形態】
【００１１】
本考案の他の特徴及び利点は、添付の図面を参照するとともに以下の好ましい実施形態の詳細な説明において、明らかになるであろう。
【００１２】
本考案を、添付の好ましい実施形態を参照してより詳細に説明するまえに、本明細書では、同様の素子は、開示全体にわたって同一の参照符号によって示されていることを留意されたい。
【００１３】
図３及び図４を参照すると、本考案による冷却ファンの第１の好ましい実施形態は、
収容空間２９を画定し、ベース壁２０と該ベース壁２０から立ち上がって延在する周囲壁２３とを有するケーシング２であり、周囲壁２３は、内壁面２３１と、収容空間２９からの流体流出の通過のための側部開口部２２と、上端面２４０によって画定される上部開口部２４と、を有する、ところのケーシング２；
周囲壁２３の内壁面２３１にマウントされる固定子４；
ベース壁２０から収容空間２９に突出し、且つ回転軸線（Ｌ）を画定する軸２１；
収容空間２９に配置されるファンブレードユニット３であり、且つ軸２１へ回転可能に軸支されている環状ハブ３１、該ハブ３１を包囲する支持リング３０、及びハブ３１と支持リング３０との間に延在し且つハブ３１及び支持リング３０へ接続される複数のブレード３２を含む、ところのファンブレードユニット３；
支持リング３０にマウントされ且つ固定子４へ磁気的に結合される回転子３３；及び
回路板の形をとる蓋部５であり、ベース壁２０に対向して配置され、周囲壁２３の上端面２４０にマウントされ、且つ基板５２及び該基板５２に配置され且つ固定子４へ結合される制御回路６１を含み、基板５２は、ファンブレードユニット３が回転軸線（L）周りを回転するよう駆動されるとき、収容空間２９への流体流入の通過のための中央開口部５１を形成している、ところの蓋部５、
を有するよう示される。
【００１４】
本実施形態において、固定子４は、周囲壁２３によって画定された角部２３５にマウントされたコイルユニットを含む。コイルユニットは、コイルマウンティングポスト４１及びコイルマウンティングポスト４１に巻き付けられたコイル４２を含む。
【００１５】
制御回路６１は、従来の方法で固定子４に供給された信号を制御するための検出コンポーネント６２を設ける。
【００１６】
動作中、空気流が、基板５２における中央開口部５１を通ってケーシング２の収容空間２９内に導入され、ファンブレードユニット３の回転時にケーシング２の側部開口部２２を通って排気される。
【００１７】
図５及び図６を参照すると、本考案の第２の好ましい実施形態が、第１の好ましい実施形態と同様に示される。その主な違いは、周囲壁２３が、軸２１周りの４つの角部２３５を画定し、且つ固定子４が、周囲壁２３の角部２３５に夫々マウントされた４つのコイルユニットを含むことにある。
【００１８】
従来の冷却ファン１の回路板１４の機能を、本考案の冷却ファンの蓋部５内に直接組み込むことによって、従来の冷却ファン１の回路板マウンティングポスト１１３が不要となり、本考案の冷却ファンの寸法及び製造コストを、大幅に低減することができる。
【００１９】
本考案は最も実用的で且つ好ましい実施形態と考えられるものに関連して説明されてきたが、本考案は、開示された実施形態に限定されるのではなく、最も広範囲の解釈の精神及び範囲内に含まれる様々な構成を対象として含むよう意図され、それにより全てのかかる変更及び同等の構成を網羅する。
【図面の簡単な説明】
【００２０】
【図１】従来の冷却ファンの分解斜視図である。
【図２】図１の線ＩＩ〜ＩＩに沿って取得された断面図である。
【図３】本考案による冷却ファンの第１の好ましい実施形態の分解斜視図である。
【図４】図３の線ＩＶ〜ＩＶに沿って取得された断面図である。
【図５】本考案による冷却ファンの第２の好ましい実施形態の分解斜視図である。
【図６】図５の線ＶＩ〜ＶＩに沿って取得された断面図である。
【符号の説明】
【００２１】
１              従来の冷却ファン
２、１１        ケーシング
３、１２        ファンブレードユニット
４、１３        固定子
５、１５        蓋部
１４            回路板
２０、１１０    ベース壁
２１、１１１    軸
２２            側部開口部
２３、１１４    周囲壁
２４            上部開口部
２９            収容空間
３０            支持リング
３１、１２１    環状ハブ
３２、１２２    ブレード
３３、１２３    回転子
４１、１３１    コイルマウンティングポスト
４２、１３２    コイル
５１、１５１    中央開口部
５２、１４１    基板
６１            制御回路
６２、１４２    検出コンポーネント
１１２          出口
１１３          回路板マウンティングポスト
２３１          内壁面
２３５          角部
２４０          上端面
Ｌ              回転軸線
【図１】
0003126657.tif 000003
【図２】
0003126657.tif 000004
【図３】
0003126657.tif 000005
【図４】
0003126657.tif 000006
【図５】
0003126657.tif 000007
【図６】
0003126657.tif 000008